(57)【要約】【課題】帽子の内部に収容し、帽子と一緒に頭部に着用し、目立たせることなく日常的に使用できるピラミッド形状の帽子部材を提供する。【解決手段】帽子１の内部に出し入れ可能に収容して帽子と一緒に頭部１０に着用する帽子部材であって、全体の外形を略正四角錐形状に形成した帽子部材本体２を備える。本体は内部を中空に形成すると共に下端を開口する。本体の下端角部２５を帽子の下端周縁部の内側に形成した折り返し部１２に係合させて帽子内に収容した本体を支持させるように構成する。【選択図】図２
0003165266.tif 000002
【実用新案登録請求の範囲】
【請求項１】
帽子の内部に出し入れ可能に収容し、前記帽子と一緒に頭部に着用する帽子部材であって、
全体の外形を略正四角錐形状に形成した帽子部材本体を備え、
前記本体は中空内部と開口下端部とを有し、
前記本体の下端角部を前記帽子の下端周縁部の内側に形成した折り返し部に係合させて前記帽子内に収容した前記本体を支持させるように構成したことを特徴とする帽子部材。
【請求項２】
帽子の内部に出し入れ可能に収容し、前記帽子と一緒に頭部に着用する帽子部材であって、
全体の外形を略正四角錐形状に形成し、中空内部と開口下端部とを有する帽子部材本体を備え、
前記本体の前記中空内部の壁面は略正四角錐形状に形成され、
前記本体の下端角部を前記帽子の下端周縁部の内側に形成した折り返し部に係合させて前記帽子内に収容した前記本体を支持させるように構成したことを特徴とする帽子部材。
【請求項３】
請求項2に記載の帽子部材において、前記本体の前記中空内部の壁面は略円錐形状又は略半球形状に形成されていることを特徴とする帽子部材。
【請求項４】
帽子の内部に出し入れ可能に収容し、前記帽子と一緒に頭部に着用する帽子部材であって、
全体の外形を略正四角錐形状に形成し、中空内部と開口下端部とを有する帽子部材本体と、前記本体の下端周縁から略水平に外側へ突設した略円形状の係合鍔部とを備え、
前記係合鍔部を前記帽子の下端周縁部の内側に形成した折り返し部に係合させて前記帽子内に収容した前記本体を支持させるように構成したことを特徴とする帽子部材。
【請求項５】
請求項4に記載の帽子部材において、前記本体の前記中空内部の壁面は略正四角錐形状に形成されていることを特徴とする帽子部材。
【請求項６】
請求項4に記載の帽子部材において、前記本体の前記中空内部の壁面は略円錐形状又は略半球形状に形成されていることを特徴とする帽子部材。
【請求項７】
帽子の内部に出し入れ可能に収容し、前記帽子と一緒に頭部に着用する帽子部材であって、
全体の外形を略正四角錐形状に形成し、中空内部と開口下端部とを有する帽子部材本体と、前記本体の下端周縁から略水平に外側へ突設した略四角形状の係合鍔部とを備え、
前記係合鍔部の角部を前記帽子の下端周縁部の内側に形成した折り返し部に係合して前記帽子内に収容した前記本体を支持させるように構成したことを特徴とする帽子部材。
【請求項８】
請求項7に記載の帽子部材において、前記本体の前記中空内部の壁面は略正四角錐形状に形成されていることを特徴とする帽子部材。
【請求項９】
請求項7に記載の帽子部材において、前記本体の前記中空内部の壁面は略円錐形状又は略半球形状に形成されていることを特徴とする帽子部材。
【請求項１０】
帽子の内部に出し入れ可能に収容し、前記帽子と一緒に頭部に着用する帽子部材であって、
全体の外形を略正四角錐形状に形成し、中空内部と開口下端部とを有する帽子部材本体と、前記本体の下端における各角部から略水平に外側へ突設した所望の幅及び長さの係合鍔部とを備え、
前記係合鍔部を前記帽子の下端周縁部の内側に形成した折り返し部に係合して前記帽子内に収容した前記本体を支持させるように構成したことを特徴とする帽子部材。
【請求項１１】
請求項１０に記載の帽子部材において、前記本体の中空内部の壁面は略正四角錐形状に形成されていることを特徴とする帽子部材。
【請求項１２】
請求項１０に記載の帽子部材において、前記本体の中空内部の壁面は略円錐形状又は略半球形状に形成されていることを特徴とする帽子部材。
【請求項１３】
帽子の内部に出し入れ可能に収容し、前記帽子と一緒に頭部に着用する帽子部材であって、
全体の外形を略正四角錐形状に形成し、中空内部と開口下端部とを有する帽子部材本体と、前記本体の下端に設けた台座部とを備え、
前記台座部は、前記本体の下端周縁から略水平に外側へ突設した略円形状の台板部と、前記台板部の外周縁から垂下して設けた下端開口の円筒状の係合筒部とを有し、
前記係合筒部を前記帽子の下端周縁部の内側に形成した折り返し部に差し込んで前記帽子内に収容した前記本体を支持させるように構成したことを特徴とする帽子部材。
【請求項１４】
請求項１３に記載の帽子部材において、前記本体の前記中空内部の壁面は略正四角錐形状に形成されていることを特徴とする帽子部材。
【請求項１５】
請求項１３に記載の帽子部材において、前記本体の前記中空内部の壁面は略円錐形状又は略半球形状に形成されていることを特徴とする帽子部材。
【請求項１６】
請求項１３に記載の帽子部材において、前記台座部の前記係合筒部に、周方向に所望の間隔を存して上下方向に向けて形成した所望数のスリットが設けてあることを特徴とする帽子部材。
【請求項１７】
前記本体の中空内部の頂部に、水晶，アメジスト，タイガーズ・アイ，シトリンその他のクオーツ、又はトルマリン、或いはカルセドニーの群の中から選択した所望形状の固形物質が取付けてあることを特徴とする、請求項１ないし１５のいずれかに記載の帽子部材。
【考案の詳細な説明】
【技術分野】
【０００１】
本考案は、帽子の内部に収容して帽子と一緒に頭部に着用する帽子部材に関する。
【背景技術】
【０００２】
従来より、未知なるエネルギーとしてピラミッドパワーが一般に知られている。しかし、ピラミッドパワーの実体については未だ解明されていない。本出願人は、ピラミッドパワーに着目し、発泡ポリエチレン等の発泡樹脂材で構成したピラミッド形の帽子を開発した。この帽子は、全体を略正四角錐形状の箱形に形成したピラミッド形の帽子本体の底面中央に頭部に嵌合して係止する係止孔を設け、頭部に嵌合して装着するように構成したものである（特許文献１参照）。この発明によれば、装着が容易で、安全なピラミッド形の帽子を提供できる。
【０００３】
しかし、前記ピラミッド形の帽子は、帽子本体を大きく形成した方が見た目にはインパクトがあるが、一方において、大きなピラミッド形の帽子を着用すると第三者に可成り目立つことになる。そのため、恥ずかしさも相俟って、製品を購入した顧客から日常的に使用できるような製品を開発して欲しいとの要求も多かった。
【先行技術文献】
【特許文献】
【０００４】
【特許文献１】特開２００３−１８３９２２号公報
【考案の概要】
【考案が解決しようとする課題】
【０００５】
本考案は上記したような実情に鑑みてなされたもので、ピラミッド形の帽子を一般的な帽子の内部に収容して着用するように構成することにより、目立たさせることなく日常的に使用することができる帽子部材を提供することを目的とする。
【課題を解決するための手段】
【０００６】
上記目的を達成するため、本考案のうち１つの考案（第１の考案）は、帽子の内部に出し入れ可能に収容し、前記帽子と一緒に頭部に着用する帽子部材であって、
全体の外形を略正四角錐形状に形成した帽子部材本体を備え、
前記本体は中空内部と開口下端部とを有し、
前記本体の下端角部を前記帽子の下端周縁部の内側に形成した折り返し部に係合させて前記帽子内に収容した前記本体を支持させるように構成したことを特徴とする。
【０００７】
本考案のうち、他の１つの考案（第２の考案）は、帽子の内部に出し入れ可能に収容し、前記帽子と一緒に頭部に着用する帽子部材であって、
全体の外形を略正四角錐形状に形成し、中空内部と開口下端部とを有する帽子部材本体を備え、
前記本体の前記中空内部の壁面は略正四角錐形状に形成され、
前記本体の下端角部を前記帽子の下端周縁部の内側に形成した折り返し部に係合させて前記帽子内に収容した前記本体を支持させるように構成したことを特徴とする。
【０００８】
本考案のうち、さらに他の１つの考案（第３の考案）は、第２の考案の帽子部材において、前記本体の前記中空内部の壁面は略円錐形状又は略半球形状に形成されていることを特徴とする。
【０００９】
本考案のさらに他の１つの考案（第４の考案）は、帽子の内部に出し入れ可能に収容し、前記帽子と一緒に頭部に着用する帽子部材であって、
全体の外形を略正四角錐形状に形成し、中空内部と開口下端部とを有する帽子部材本体と、前記本体の下端周縁から略水平に外側へ突設した略円形状の係合鍔部とを備え、
前記係合鍔部を前記帽子の下端周縁部の内側に形成した折り返し部に係合させて前記帽子内に収容した前記本体を支持させるように構成したことを特徴とする。
【００１０】
本考案のさらに他の１つの考案（第５の考案）は、第４の考案の帽子部材において、前記本体の前記中空内部の壁面は略正四角錐形状に形成されていることを特徴とする。
【００１１】
本考案のさらに他の１つの考案（第６の考案）は、第４の考案の帽子部材において、前記本体の前記中空内部の壁面は略円錐形状又は略半球形状に形成されていることを特徴とする。
【００１２】
本考案のさらに他の１つの考案（第７の考案）は、帽子の内部に出し入れ可能に収容し、前記帽子と一緒に頭部に着用する帽子部材であって、
全体の外形を略正四角錐形状に形成し、中空内部と開口下端部とを有する帽子部材本体と、前記本体の下端周縁から略水平に外側へ突設した略四角形状の係合鍔部とを備え、
前記係合鍔部の角部を前記帽子の下端周縁部の内側に形成した折り返し部に係合して前記帽子内に収容した前記本体を支持させるように構成したことを特徴とする。
【００１３】
本考案のさらに他の１つの考案（第８の考案）は、第７の考案の帽子部材において、前記本体の前記中空内部の壁面は略正四角錐形状に形成されていることを特徴とする。
【００１４】
本考案のさらに他の１つの考案（第９の考案）は、第７の考案の帽子部材において、前記本体の前記中空内部の壁面は略円錐形状又は略半球形状に形成されていることを特徴とする。
【００１５】
本考案のさらに他の１つの考案（第１０の考案）は、帽子の内部に出し入れ可能に収容し、前記帽子と一緒に頭部に着用する帽子部材であって、
全体の外形を略正四角錐形状に形成し、中空内部と開口下端部とを有する帽子部材本体と、前記本体の下端における各角部から略水平に外側へ突設した所望の幅及び長さの係合鍔部とを備え、
前記係合鍔部を前記帽子の下端周縁部の内側に形成した折り返し部に係合して前記帽子内に収容した前記本体を支持させるように構成したことを特徴とする。
【００１６】
本考案のさらに他の１つの考案（第１１の考案）は、第１０の考案の帽子部材において、前記本体の中空内部の壁面は略正四角錐形状に形成されていることを特徴とする。
【００１７】
本考案のさらに他の１つの考案（第１２の考案）は、第１０の考案の帽子部材において、前記本体の中空内部の壁面は略円錐形状又は略半球形状に形成されていることを特徴とする。
【００１８】
本考案のさらに他の１つの考案（第１３の考案）は、帽子の内部に出し入れ可能に収容し、前記帽子と一緒に頭部に着用する帽子部材であって、
全体の外形を略正四角錐形状に形成し、中空内部と開口下端部とを有する帽子部材本体と、前記本体の下端に設けた台座部とを備え、
前記台座部は、前記本体の下端周縁から略水平に外側へ突設した略円形状の台板部と、前記台板部の外周縁から垂下して設けた下端開口の円筒状の係合筒部とを有し、
前記係合筒部を前記帽子の下端周縁部の内側に形成した折り返し部に差し込んで前記帽子内に収容した前記本体を支持させるように構成したことを特徴とする。
【００１９】
本考案のさらに他の１つの考案（第１４の考案）は、第１３の考案の帽子部材において、前記本体の前記中空内部の壁面は略正四角錐形状に形成されていることを特徴とする。
【００２０】
本考案のさらに他の１つの考案（第１５の考案）は、第１３の考案の帽子部材において、前記本体の前記中空内部の壁面は略円錐形状又は略半球形状に形成されていることを特徴とする。
【００２１】
本考案のさらに他の１つの考案（第１６の考案）は、第１３の考案の帽子部材において、前記台座部の前記係合筒部に、周方向に所望の間隔を存して上下方向に向けて形成した所望数のスリットが設けてあることを特徴とする。
【００２２】
本考案（第１〜第１６のいずれかの考案）においては、前記本体の中空内部の頂部に、水晶，アメジスト，タイガーズ・アイ，シトリンその他のクオーツ、又はトルマリン、或いはカルセドニーの群の中から選択した所望形状の固形物質を取付ける構成を採用することができる（第１７の考案）。
なお、アメジスト（AMETHYST）、タイガーズ・アイ（TIGER'S-EYE）、及びシトリン（CITRINE）はクオーツ（QUARTZ）の変種に属するものであるが、本考案においては、これらの変種も含めて「クオーツ」と称している。
水晶その他のクオーツは、特殊のエネルギーによる水晶パワーを持っていると言われている。また、トルマリンも水晶パワーと同様の特殊エネルギーを有していると言われている。
【考案の効果】
【００２３】
本考案によれば、次のような作用効果を奏する。
（１）帽子の内部に収容して頭部に着用するように構成したので、第三者に目立つことなく、一般的な帽子と同様に着用してピラミッド形の帽子を日常的に使用することが可能になる。
（２）帽子にピラミッドパワーによる心理的効果を具備させることができる。
（３）第１７の考案によれば、前記効果に加え、帽子に水晶パワーによる心理的効果を具備させることができる。
【図面の簡単な説明】
【００２４】
【図１】本考案の一実施形態の帽子部材の構成を概略的に示す図であって、同図（ａ）は斜視図、同図（ｂ）は平面図、同図（ｃ）は底面図、同図（ｄ）は縦断面図である。
【図２】図１に示す帽子部材の使用状態を概略的に示す図であって、同図（ａ）は頭部に着用した状態を示す説明図、同図（ｂ）は同図（ａ）に示す状態において、帽子部材を同図（ａ）の状態から約４５度の角度で水平方向に回動して帽子内に収容して頭部に着用した状態を示す説明図である。
【図３】本考案の他の実施形態の帽子部材の構成を概略的に示す図であって、同図（ａ）は縦断面図、同図（ｂ）は平面図、同図（ｃ）は同図（ａ）のＡ−Ａ線断面図である。
【図４】本考案のさらに他の実施形態の帽子部材の構成を概略的に示す図であって、同図（ａ）は斜視図、同図（ｂ）は平面図、同図（ｃ）底面図、同図（ｄ）は縦断面図である。
【図５】本考案のさらに他の実施形態の帽子部材の構成を概略的に示す図であって、同図（ａ）は平面図、同図（ｂ）は正面図、同図（ｃ）は縦断面図である。
【図６】本考案のさらに他の実施形態の帽子部材の構成を概略的に示す図であって、同図（ａ）は平面図、同図（ｂ）は正面図、同図（ｃ）は同図（ａ）のＢ−Ｂ線断面図である。
【図７】本考案のさらに他の実施形態の帽子部材の構成を概略的に示す図であって、同図（ａ）は斜視図、同図（ｂ）は縦断面図である。
【図８】図７に示す帽子部材を頭部に着用した状態を示す説明図である。
【考案を実施するための形態】
【００２５】
以下、図面を参照して本考案の帽子部材の実施形態の一例について説明する。
【００２６】
図１及び図２は、本考案の一実施形態（実施形態１）の帽子部材を示す。本考案の帽子部材は、図２に示すように、帽子１の内部に出し入れ可能に収容して、帽子１と一緒に使用者の頭部１０に着用するものである。帽子１の種類や型式等は特に限定するものではなく、各種の型式等の帽子１に使用できるものであるが、本体１１の下端周縁部の内側に形成した折り返し部１２を有する帽子を採用するのが好ましい。実施形態１では、帽子の本体１１の下端部全周に鍔１３を設けた帽子を採用した例が開示されているが、野球帽等のように、本体１１の下端部の前方側のみに鍔を設けた型式等の帽子、その他の型式等の帽子に使用できること勿論である。
【００２７】
図１及び図２に示すように、実施形態１の帽子部材２００は、全体の外形を略四角錐形状に形成した帽子部材本体２を備える。前記本体２は内部を中空に形成した中空内部２０と、下端を開口して形成した開口下端部２１とを有して構成されている。
【００２８】
帽子部材本体２の構成素材は特に限定するものではないが、例えば、発泡ポリエチレン，発泡ポリウレタン，発泡スチロールその他の発泡樹脂材、ポリプロピレン（PP），ポリエチレンテスタレート（PET），ポリスチレンその他の合成樹脂材、合成ゴムその他のゴム材、厚紙その他の紙材、或いは布材等を採用できる。但し、上記した素材に限定するものではない。この点については、後述する各実施形態においても同様である。
【００２９】
上述したように、前記本体２の構成素材は特に限定するものではないが、軽量かつ形状保形性及び柔軟性を備えた素材を選択するのが好ましい。なお、基本的には非電導性の素材を採用するのが好ましく、金属材等は好ましくない。これらの点については、後述する各実施形態においても同様である。
【００３０】
帽子部材本体２は任意の成形加工方法により成形できる。例えば、板状体の素材を切断して組み立て加工（接着剤を使用）する方法を採用できるが、発泡ポリエチレン等の発泡樹脂材や合成樹脂材を採用する場合には、例えば、真空成形や射出成形等により成形する方法を採用することができる。この点については、後述する各実施形態においても同様である。
【００３１】
前記本体２の肉厚は特に限定するものではなく、採用する素材の材質等により適当に設定することができる。前記本体２の大きさは、特に限定するものではなく、帽子の種類や型式及び大きさ等に応じて設定し得るものであるが、帽子１の内部に出し入れ自在に収容でき、かつ、後述するように、帽子１内に収容した状態で係止して支持させ、帽子から脱落するのを防止し得る大きさに設定して形成することができる。
【００３２】
実施形態１の前記本体２の中空内部２０の壁面２２（前記本体２の内壁面）は、略正四角錐形状に形成されている。
【００３３】
実施形態１の前記本体２は素材として発泡ポリエチレンを採用し、真空成形により成形する方法を採用している。また、前記本体２の肉厚は約３〜約５ｍｍに設定して成形されている。なお、上述したように、本体２の成形加工方法及び本体２の肉厚は一例として開示したもので、上記に限定するものではないこと勿論である。
【００３４】
また、実施形態１の前記本体２の中空内部２０の頂部には、所望の大きさの水晶球２３が固定して取付けてある。水晶球２３は強力接着剤を用いて接着し、或いは係止留材２４を用いて保持する等により取付ける。実施形態１では係止留材２４で取付けた例が開示されている。なお、水晶に代え、上述したアメジスト，タイガーズ・アイ，シトリンその他のクオーツ、又はトルマリン、或いはカルセドニー等を取付ける構成を採用してもよい。この場合において、トルマリンを採用する場合には、粉末化したトルマリン粉末を接着剤等により固着する構成を採用してもよい。
なお、水晶その他のクオーツやトルマリン、或いはカルセドニーは所望に応じて取付けるもので、取付けなくてもよいものである。この点については後述する各実施形態においても同様である。
【００３５】
前記帽子部材２００は、前記本体２の下端の各角部２５又は角部２５のうち、少なくとも３箇所の角部２５を、図２（ｂ）に示すように、帽子１の下端周縁部の内側に形成した折り返し部１２に係合させて帽子１内に収容して本体２を支持させ、帽子から脱落するのを防止するように構成されている。そして、図２に示すように、本体２を帽子内に収容した状態で帽子１と一緒に頭部１０に着用するものである。また、前記角部２５の折り返し部１２との係合を解除することにより、帽子部材２００を帽子から容易に取り出すことができる。
【００３６】
実施形態１の帽子部材２００は上記のように構成したもので、帽子部材２００を上述したように帽子の内部に収容し、この状態で帽子１を頭部１０に被る（着用する）と、帽子部材本体２の開口下端部２１に頭部１０の先端（頂部）が接する。そして、帽子部材２００は帽子１内に収容されているため、着用中に第三者から視認できない。したがって、一般的な帽子と同様に屋内でも屋外でも普通に着用することができ、日常的に使用することが可能になる。
【００３７】
図３は本考案の他の実施形態（実施形態２）を示す。実施形態２の帽子部材３００において、実施形態１で既に説明した構成と共通する構成部等には同一符号を付して説明を省略する。この点については後述する各実施形態においても同様である。
【００３８】
実施形態２の帽子部材本体３は、内部を中空に形成した中空内部３０と、下端を開口して形成した開口下端部３１とを有して構成されている。
【００３９】
実施形態２の前記本体３は、全体の外形を略正四角錐形状に形成されているが、中空内部３０（前記本体３の内壁面）は、略円錐形状に形成されている。また、前記本体３の壁部の肉厚は実施形態１の前記本体２に比べて厚く形成されている。
【００４０】
実施形態２では、中空内部３０の頂部に適当な径及び深さの嵌合用凹部３３を有し、水晶球２３は前記凹部３３に係入して係合留材２４で固定して取付けてある。この場合、前記凹部３３を設けることなく、水晶球２３を中空内部３０の頂壁に直接取付けるように構成してもよい。
【００４１】
前記帽子部材３００は、実施形態１と同様に前記本体３の下端の角部３４を帽子１の折り返し部１２に係合させて帽子１内に収容して本体３を支持させ、帽子から脱落するのを防止するように構成されている。そして、実施形態１と同様に帽子と一緒に頭部１０に着用するものである。他の構成は実施形態１と同様である。
【００４２】
実施形態２の帽子部材３００は上記のように構成し、実施形態１と同様に着用（使用）するものである。これにより、実施形態１と同様の作用効果を奏する。
【００４３】
なお、実施形態２においては、前記本体３の中空内部３０の壁面３２を略円錐形状に形成した構成を開示したが、壁面３２を略半球形状に形成する構成を採用できること勿論である。
【００４４】
図４は本考案のさらに他の実施形態（実施形態３）を示す。実施形態３は係合鍔部を設けた構成に特徴がある。
【００４５】
実施形態３の帽子部材４００は、図４に示すように、実施形態１の帽子部材本体２と同様に形成した帽子部材本体２と、前記本体２の下端周縁から略水平に外側へ突設した略円形状の係合鍔部４とを備える。
【００４６】
実施形態３の帽子部材４００は、係合鍔部４を帽子１の前記折り返し部１２に係合させて帽子１内に収容した前記本体２を支持させるように構成されている。そして、実施形態１と同様に帽子と一緒に頭部１０に着用するように構成したものである。他の構成は実施形態１と同様である。
【００４７】
実施形態３の帽子部材４００は上記のように構成し、実施形態１と同様に頭部に着用して使用するものである。これにより、実施形態１と同様の作用効果を奏する。
【００４８】
図５は本考案のさらに他の実施形態（実施の形態４）を示す。実施形態４も係合鍔部を設けた構成に特徴がある。
【００４９】
実施形態４の帽子部材５００は、帽子部材本体２と、前記本体２の下端周縁から略水平に外側へ突設した略四角形状の係合鍔部５とを備える。帽子部材本体２は実施形態１の前記本体２と同様に構成されている。
【００５０】
実施形態４の帽子部材５００は、係合鍔部５の角部５０を帽子１の前記折り返し部１２に係合させて帽子１内に収容した前記本体２を支持させるように構成してある。そして、実施形態１と同様に帽子と一緒に頭部１０に着用するように構成したものである。他の構成は実施形態１と同様である。
【００５１】
実施形態４の帽子部材５００は上記のように構成し、実施形態１と同様に頭部に着用して使用するものである。これにより、実施形態１と同様の作用効果を奏する。
【００５２】
図６は本考案のさらに他の実施形態（実施の形態５）を示す。実施形態５も係合鍔部を設けた構成に特徴がある。
【００５３】
実施形態５の帽子部材６００は、帽子部材本体２と、前記本体２の下端における各角部から略水平に外側へ突設した所望の幅及び長さの係合鍔部６…６とを備える。帽子部材本体２は、実施形態１の帽子部材本体２と同様に構成されている。前記各係合鍔部６の幅及び長さは適当に設定して構成することができる。
【００５４】
実施形態５の帽子部材６００は、前記各係合鍔部６又は少なくとも３個の鍔部６を帽子１の前記折り返し部１２に係合させて帽子１内に収容した前記本体２を支持させるように構成してある。そして、実施形態１と同様に帽子と一緒に頭部１０に着用するように構成したものである。他の構成は実施形態１と同様である。
【００５５】
実施形態５の帽子部材６００は、上記のように構成し、実施形態１と同様に頭部に着用して使用するものである。これにより、実施形態１と同様の作用効果を奏する。
【００５６】
図７及び図８は本考案のさらに他の実施形態（実施の形態６）を示す。実施形態６は台座部を設けた構成に特徴がある。
【００５７】
実施形態６の帽子部材７００は、帽子部材本体２と、前記本体２の下端に設けた台座部７とを備える。帽子部材本体２は、実施形態１の帽子部材本体２と同様に構成されている。
【００５８】
台座部７は、前記本体２の下端周縁から略水平に外側へ突設した略円形状の台板部７０と、台板部７０の外周縁から垂下して設けた下端開口７１の円筒状の係合筒部７２とを備える。
【００５９】
実施形態６の台座部７は、係合筒部７２に、周方向に所望の間隔を存して上下方向に向けて形成した所望数（例えば、約４本〜約８本程度）のスリット７３が設けてある。これにより、前記筒部７２に所望数の係合片が形成される。なお、前記スリット７３は所望に応じて設けるもので、省略してもよいものである。
【００６０】
実施形態６の帽子部材７００は、図８に示すように、係合筒部７２を帽子１の前記折り返し部１２に差し込んで（折り返し部１２と帽子の本体１１との間に挟入）帽子１内に収容した前記本体２を支持させるように構成してある。この場合において、係合筒部７２を折り返し部１２に差し込むことにより、係合筒部７２は帽子１の本体１１と折り返し部１２とで挟持される。そのため、帽子部材本体２を安定して確実に支持させることができる。
【００６１】
実施形態６の帽子部材７００は上記のように構成し、実施形態１と同様に頭部に着用して使用するものである。これにより、実施形態１と同様の作用効果を奏する。
【００６２】
なお、上記した実施形態３〜６の帽子部材においては、帽子部材本体２の中空内部２０の壁面を略正四角錐形状に形成した例が開示されているが、実施形態２に示すように、略円錐形状に形成してもよい。また、略半球形状に形成する構成を採用してもよいものである。
【００６３】
なお、上記した各実施形態の帽子部材は一例として開示したもので、本考案は上記実施形態に限定されるものではなく、実用新案登録請求の範囲に記載の技術思想を越脱しない範囲において任意に変更可能なものである。
【符号の説明】
【００６４】
１        帽子
２        帽子部材本体
１０      頭部
１２      折り返し部
２０      中空内部
２１      開口下端部
２５      下端角部
【図１】
0003165266.tif 000003
【図２】
0003165266.tif 000004
【図３】
0003165266.tif 000005
【図４】
0003165266.tif 000006
【図５】
0003165266.tif 000007
【図６】
0003165266.tif 000008
【図７】
0003165266.tif 000009
【図８】
0003165266.tif 000010